(57)【要約】  本発明は、アンテナ回路のインピーダンスを変調すると共に、アンテナ回路からデータ信号及び無線周波数クロック信号を抽出するための受動的インタフェース回路と、読み取り装置を取り外し可能なセキュリティーモジュールに接続するための手段とを備えた誘導結合型読み取り装置に関連する。本発明の読み取り装置は、別の読み取り装置と無線周波数伝送路を開設するためのエミュレーション回路と、エミュレーション回路を受動的インタフェース回路に連結すると共に、それを用いてデータ信号及び無線周波数クロック信号がエミュレーション回路に供給される取り外し不可能な電気的リンクと、その周波数が無線周波数クロック信号の周波数より低いバスクロック信号によって計時される、エミュレーション回路を取り外し可能なセキュリティーモジュールに連結するためのデータバスとを備え、その利点は、低い電力消費量を有する読み取り装置を構成することである。
2009512382.tif 000002
【特許請求の範囲】
【請求項１】
アンテナ回路（１３）のインピーダンスを変調すると共に、前記アンテナ回路からデータ信号（ＳＤＴｒ）及び無線周波数クロック信号（ＣＫ０）を抽出するための受動的インタフェース回路（１６）と、読み取り装置を取り外し可能なセキュリティーモジュール（４０、４３）に接続するための手段（１７３、ＤＢ３、１０３０）とを備えた誘導結合型読み取り装置（５０、６０）であって、
−別の読み取り装置と無線周波数伝送路を開設すると共に、前記取り外し可能なセキュリティーモジュールに、無線周波数伝送路を通して受信されたアプリケーションデータを転送し、前記取り外し可能なセキュリティーモジュールから受信されたアプリケーションデータを無線周波数伝送路に送信するためのエミュレーション回路（１７）と、
−前記エミュレーション回路（１７）を前記受動的インタフェース回路（１６）に連結すると共に、それを用いてデータ信号（ＳＤＴｒ）及び無線周波数クロック信号（ＣＫ０）が前記エミュレーション回路（１７）に供給される取り外し不可能な電気的リンクと、
−その周波数が無線周波数クロック信号の周波数（Ｆｃ）より低いバスクロック信号（ＣＫ２）によって計時される、前記エミュレーション回路（１７）を前記取り外し可能なセキュリティーモジュール（４０、４３）に連結するためのデータバス（１７３、ＤＢ３）と
を更に備えることを特徴とする読み取り装置。
【請求項２】
前記受動的インタフェース回路（１６）と前記エミュレーション回路（１７）とが、同じ半導体チップ上に配置される
ことを特徴とする請求項１に記載の読み取り装置。
【請求項３】
前記エミュレーション回路（１７）が、無線周波数伝送路の開設の間に読み取り装置を識別するために前記エミュレーション回路によって使用される少なくとも１つの識別子（ＩＤ）を含む識別レジスタ（１７１）を備える
ことを特徴とする請求項１または請求項２のいずれか一項に記載の読み取り装置。
【請求項４】
前記エミュレーション回路（１７）が、無線周波数伝送路を介して受信されたアプリケーションデータを、前記取り外し可能なセキュリティーモジュール（４０、４３）に対してそれらを転送する前に記憶するためのバッファメモリ（１７０）を備える
ことを特徴とする請求項１から請求項３のいずれか一項に記載の読み取り装置。
【請求項５】
前記バッファメモリが、無線周波数伝送路を介して受信されたデータを受信する入力端子と、これらのデータを前記取り外し可能なセキュリティーモジュールに送信するためのデータバス（１７３、ＤＢ３）に連結された出力端子とを有する少なくとも１つのＦＩＦＯバッファ（１７０−１）を備える
ことを特徴とする請求項４に記載の読み取り装置。
【請求項６】
前記受動的インタフェース回路（１６）が、前記アンテナ回路から持続的な電源電圧（Ｖｃｃｅ）を抽出すると共に、
前記エミュレーション回路（１７）と前記取り外し可能なセキュリティーモジュール（４０、４３）が、この持続的な電源電圧によって独占的に電力を供給される
ことを特徴とする請求項１から請求項５のいずれか一項に記載の読み取り装置。
【請求項７】
前記データバス（ＤＢ３）が、ＩＳＯ７８１６に規定されるバスである
ことを特徴とする請求項１から請求項６のいずれか一項に記載の読み取り装置。
【請求項８】
前記バスクロック信号（ＣＫ２）が、前記無線周波数クロック信号（ＣＫ０）の周波数の少なくとも“１／２５”倍の低い周波数を有している
ことを特徴とする請求項１から請求項７のいずれか一項に記載の読み取り装置。
【請求項９】
データバス（ＤＢ１）を介してＳＩＭカード（２０）に連結される電話通信回路ＧＳＭ（１１）を備える
ことを特徴とする請求項１から請求項８のいずれか一項に記載の読み取り装置。
【請求項１０】
前記ＳＩＭカードと前記取り外し可能なセキュリティーモジュールが、１つのモジュールだけを形成する
ことを特徴とする請求項９に記載の読み取り装置（６０）。
【請求項１１】
前記エミュレーション回路（１７）と前記ＧＳＭ電話通信回路（１１）が、バス多重化回路（ＭＵＸＢ）を用いて共有された共通バス（ＤＢ４）によって、前記取り外し可能なセキュリティーモジュール（４０）にアクセスする
ことを特徴とする請求項１０に記載の読み取り装置。
【請求項１２】
ＰＤＡまたは携帯電話タイプの携帯機器であって、
請求項１から請求項１１のいずれか一項に記載の読み取り装置を備える
ことを特徴とする携帯機器。
【請求項１３】
アンテナ回路（１３）のインピーダンスを変調すると共に、前記アンテナ回路からデータ信号（ＳＤＴｒ）及び無線周波数クロック信号（ＣＫ０）を抽出するために提供される受動的インタフェース回路（１６）と、保護されたアプリケーションを管理するために提供される取り外し可能なセキュリティーモジュール（４０、４３）とを備えた誘導結合型読み取り装置（５０、６０）における受動的動作モードを実行するための方法であって、
前記取り外し可能なセキュリティーモジュールと異なるエミュレーション回路（１７）を提供すると共に、それを用いてデータ信号（ＳＤＴｒ）及び無線周波数クロック信号（ＣＫ０）が前記エミュレーション回路（１７）に供給される取り外し不可能な電気的リンクを介して、前記エミュレーション回路（１７）を前記受動的インタフェース回路（１６）に接続する段階と、
前記エミュレーション回路（１７）を用いて、無線周波数伝送路を開設すると共に、前記取り外し可能なセキュリティーモジュールに、前記エミュレーション回路により無線周波数伝送路を通して受信されたアプリケーションデータを転送し、前記取り外し可能なセキュリティーモジュールから前記エミュレーション回路により受信されたアプリケーションデータを無線周波数伝送路に送信する段階と、
その周波数が無線周波数クロック信号の周波数（Ｆｃ）より低いバスクロック信号（ＣＫ２）によって計時されるデータバス（１７３、４３４、ＤＢ３）を用いて、前記エミュレーション回路（１７）を前記取り外し可能なセキュリティーモジュール（４０、４３）に連結する段階と
を有することを特徴とする方法。
【請求項１４】
前記受動的インタフェース回路（１６）と前記エミュレーション回路（１７）とが、同じ半導体チップ上に配置される
ことを特徴とする請求項１３に記載の方法。
【請求項１５】
前記エミュレーション回路（１７）において、無線周波数伝送路の開設の間に読み取り装置を識別するために前記エミュレーション回路によって使用され得る少なくとも１つの識別子（ＩＤ）を含む識別レジスタ（１７１）を提供する段階を有する
ことを特徴とする請求項１３または請求項１４のいずれか一項に記載の方法。
【請求項１６】
前記エミュレーション回路（１７）において、無線周波数伝送路を介して受信されたアプリケーションデータを、前記取り外し可能なセキュリティーモジュール（４０、４３）に対してそれらを転送する前に記憶するためのバッファメモリ（１７０）を提供する段階を有する
ことを特徴とする請求項１３から請求項１５のいずれか一項に記載の方法。
【請求項１７】
前記エミュレーション回路（１７）において、無線周波数伝送路を介して受信されたデータを受信する入力端子と、これらのデータを前記取り外し可能なセキュリティーモジュールに送信するためのデータバス（１７３、ＤＢ３）に連結された出力端子とを有する少なくとも１つのＦＩＦＯバッファ（１７０−１）を提供する段階を有する
ことを特徴とする請求項１５または請求項１６のいずれか一項に記載の方法。
【請求項１８】
前記アンテナ回路から持続的な電源電圧（Ｖｃｃｅ）を抽出する段階と、
この電圧を前記エミュレーション回路（１７）と前記取り外し可能なセキュリティーモジュール（４０、４３）に独占的な電源電圧として印加する段階と
を有することを特徴とする請求項１３から請求項１７のいずれか一項に記載の方法。
【請求項１９】
前記データバス（ＤＢ３）が、ＩＳＯ７８１６に規定されるバスである
ことを特徴とする請求項１３から請求項１８のいずれか一項に記載の方法。
【請求項２０】
前記バスクロック信号（ＣＫ２）が、前記無線周波数クロック信号（ＣＫ０）の周波数の少なくとも“１／２５”倍の低い周波数を有している
ことを特徴とする請求項１３から請求項１９のいずれか一項に記載の方法。
【請求項２１】
読み取り装置が、ＳＩＭカード（２０）に連結される電話通信回路ＧＳＭ（１１）に結合されると共に、
前記ＳＩＭカードと前記取り外し可能なセキュリティーモジュールが、１つのモジュールだけを形成する
ことを特徴とする請求項１３から請求項２０のいずれか一項に記載の方法。
【請求項２２】
前記エミュレーション回路（１７）と前記ＧＳＭ電話通信回路（１１）によって共有された、前記取り外し可能なセキュリティーモジュール（４０）にアクセスするための共通バス（ＤＢ４）を提供する段階を有する
ことを特徴とする請求項２１に記載の方法。
【請求項２３】
半導体チップ（ＩＣＲＤ１、ＩＣＲＤ２）上の集積回路形式の誘導結合型読み取り装置であって、
−集積回路をアンテナ回路（１３）に接続するための第１のポート（Ｐ１）、及び集積回路を取り外し可能なセキュリティーモジュール（４０、４３）に接続するための第２のポート（Ｐ２）と、
−前記アンテナ回路（１３）のインピーダンスを変調すると共に、前記アンテナ回路からデータ信号（ＳＤＴｒ）及び無線周波数クロック信号（ＣＫ０）を抽出するための受動的インタフェース回路（１６）と、
−別の読み取り装置と無線周波数伝送路を開設すると共に、無線周波数伝送路を通して受信されたアプリケーションデータを前記第２のポート（Ｐ２）に転送し、前記第２のポート（Ｐ２）を介して受信されたアプリケーションデータを無線周波数伝送路に送信するためのエミュレーション回路（１７）と、
−前記エミュレーション回路（１７）を前記受動的インタフェース回路（１６）に連結すると共に、それを用いてデータ信号（ＳＤＴｒ）及び無線周波数クロック信号（ＣＫ０）が前記エミュレーション回路（１７）に供給される取り外し不可能な電気的リンクと
を備えることを特徴とする半導体チップに統合された読み取り装置。
【請求項２４】
前記エミュレーション回路（１７）が、無線周波数伝送路の開設の間に読み取り装置を識別するために前記エミュレーション回路によって使用される少なくとも１つの識別子（ＩＤ）を含む識別レジスタ（１７１）を備える
ことを特徴とする請求項２３に記載の半導体チップに統合された読み取り装置。
【請求項２５】
前記エミュレーション回路（１７）が、無線周波数伝送路を介して受信されたアプリケーションデータを、前記第２のポート（Ｐ２）に対してそれらを転送する前に記憶するためのバッファメモリ（１７０）を備える
ことを特徴とする請求項２３または請求項２４のいずれか一項に記載の半導体チップに統合された読み取り装置。
【請求項２６】
前記バッファメモリが、無線周波数伝送路を介して受信されたデータを受信する入力端子と、これらのデータを取り外し可能なセキュリティーモジュールに送信するための前記第２のポート（Ｐ２）に連結された出力端子とを有する少なくとも１つのＦＩＦＯバッファ（１７０−１）を備える
ことを特徴とする請求項２５に記載の半導体チップに統合された読み取り装置。
【請求項２７】
前記受動的インタフェース回路（１６）が、前記アンテナ回路から持続的な電源電圧（Ｖｃｃｅ）を抽出するための回路（ＰＳＥ）を備えると共に、
前記エミュレーション回路（１７）と前記取り外し可能なセキュリティーモジュール（４０、４３）が、この持続的な電源電圧によって独占的に電力を供給される
ことを特徴とする請求項２３から請求項２６のいずれか一項に記載の半導体チップに統合された読み取り装置。
【請求項２８】
前記アンテナ回路を励磁するための信号を前記第１のポート（Ｐ１）に印加するために設計された非接触式のチップリーダ回路（１２）と、
集積回路を、前記チップリーダ回路（１２）を制御するための外部回路（１１）に接続するための、前記チップリーダ回路（１２）に連結された第３のポート（Ｐ３）と
を更に備えることを特徴とする請求項２３から請求項２７のいずれか一項に記載の半導体チップに統合された読み取り装置。
【請求項２９】
前記第２のポート（Ｐ２）に連結されたバス管理回路（１７３）と、
無線周波数クロック信号（ＣＫ０）から、その周波数が無線周波数クロック信号の周波数（Ｆｃ）より低いバスクロック信号（ＣＫ２）を抽出すると共に、前記バスクロック信号（ＣＫ２）を前記バス管理回路（１７３）に印加するための回路（１７２）と
を備えることを特徴とする請求項２３から請求項２８のいずれか一項に記載の半導体チップに統合された読み取り装置。
【請求項３０】
前記バス管理回路（１７３）が、ＩＳＯ７８１６に規定されるバス管理を保証する
ことを特徴とする請求項２９に記載の半導体チップに統合された読み取り装置。
【請求項３１】
前記無線周波数クロック信号（ＣＫ０）から前記バスクロック信号（ＣＫ２）を抽出するための回路（１７２）は、その周波数が前記無線周波数クロック信号（ＣＫ０）の周波数の少なくとも“１／２５”倍の低い周波数である前記バスクロック信号（ＣＫ２）を供給するために設計される
ことを特徴とする請求項２９または請求項３０のいずれか一項に記載の半導体チップに統合された読み取り装置。
【請求項３２】
前記第２のポート（Ｐ２）に連結された出力端子と、前記バス管理回路（１７３）に連結された第１の入力端子と、集積回路の第４のポート（Ｐ４）に連結された第２の入力端子とを有するバス多重化回路（ＭＵＸＢ）を備える
ことを特徴とする請求項２９から請求項３１のいずれか一項に記載の半導体チップに統合された読み取り装置。
【発明の詳細な説明】
【技術分野】
【０００１】
本発明は、誘導結合によるデータ伝送方法、及び更に詳しくは誘導結合により動作する非接触式集積回路読み取り装置に関係する。これらの読み取り装置は、様々な名称、特に“ＰＣＤ（Proximity Coupling Device）”、“ＶＣＤ”（Vicinity Coupling Device）、“誘導結合器”等を有している。
【背景技術】
【０００２】
誘導結合によるデータ伝送方法は、非接触式電子タグ（製品識別）、または非接触式バッジ（人物識別）を読み取るために、元来ＲＦＩＤ（無線タグ）アプリケーションに関して開発された。ここ数年の技術進歩のために、今これらの方法は、容易に実現されると共に、識別アプリケーションのために確保されるだけでなく、様々な種類の近接のトランザクション（transaction）を構成するための２装置間の無線周波数伝送路を生成するために同様に使用され得る、データ伝送の完全な技術を形成すると考えられる。
【０００３】
従って、元来非接触式集積回路と誘導結合型読み取り装置との間でデータ交換を可能にするために供給されたが、これらの方法を誘導結合型読み取り装置間のデータ交換に適用することは、有利なように思われた。更に詳しくは、２つの読み取り装置の間で無線周波数伝送路を確立するために、２つの通信“モデル”が考察された。
【０００４】
第１のモデルによれば、各読み取り装置は、それがデータをもう一方の読み取り装置に送信しなければならないか、もしくはもう一方の読み取り装置のデータを受信しなければならないかに応じて、交互に能動的モードまたは受動的モードに入る。従って、データを送信するための読み取り装置は、搬送周波数Ｆｃ（ＩＳＯ／ＩＥＣ１４４４３標準、及びＩＳＯ／ＩＥＣ１５６９３標準に基づくと１３．５６［ＭＨｚ］）で振動する交流磁界を放出すると共に、それが非接触式集積回路に向くように磁界の振幅を変調する。データを受信するための読み取り装置は、磁界を放出しないと共に、磁界の写像であるアンテナ信号を受信する。
【０００５】
第２のモデルによれば、読み取り装置の内の１つは、能動的モードに入ると共に、他の読み取り装置は、全ての通信の間、受動的なモードに入る。能動的モードにおける読み取り装置から受動的モードにおける読み取り装置に対するデータの伝送は、上述のように、放出された磁界の振幅を変調することによって保証される。受動的モードにおける読み取り装置から能動的モードにおける読み取り装置に対するデータ伝送は、受動的モードにおける読み取り装置のアンテナコイルのインピーダンスを変調すること（それは、同様にレトロ変調（retromodulation）と呼ばれる）によって保証される。このインピーダンス変調は、能動的モードにおける読み取り装置のアンテナ回路において、励磁信号と混合されると共に、適合したフィルタを用いて抽出される負荷変調信号を生成する。
【０００６】
モデル２の受動的なモードは、モデル１の交互の能動的／受動的モードと異なり、エミュレーションモードと呼ばれる。実際には、受動的モードにおける読み取り装置は、データを送信するのと同様に、データを受信するのに、非接触式集積回路のように振舞う。
【０００７】
誘導結合型読み取り装置間のデータ伝送のこれらの方法は、従ってアプリケーションの様々な将来性を提供する。産業のコミュニティは、それらを“ＮＦＣ”（Near Field Communication）と呼ぶと共に、フォーラムはそれらを専門とする(http://www.nfc-forum.org/home)。ＮＦＣは、文書ＥＣＭＡ３４０（http://www.ecma-international.org/publications/standards/Standard.htm）、ＥＴＳＩ  ＴＳ  １０２  １９０  Ｖ１．１．１、及びＩＳＯ／ＩＥＣ１８０９２によって定義された技術に関するオープンプラットフォームとして定義される。これらの文書は、受動的モードにおけるのと同様に、能動的モードにおいて、初期化の間のデータ衝突の制御のために必要とされる通信初期化プロトコルと同様に、ＮＦＣ読み取り装置の無線周波数インタフェースに関する変調方式、符号化、データ転送速度、及びフレームフォーマットを定義する。しかしながら、本願における名称“ＮＦＣ”は、更に一般的に、別の読み取り装置と対話することができる読み取り装置のことを指す。
【０００８】
ＮＦＣ技術の開発に対して並行に、携帯電話、ＰＤＡ（個人用携帯情報端末）、及びポータブルコンピュータのような携帯用電子機器において誘導結合型読み取り装置を統合することが一般的になった。携帯用電子機器が、その場合に誘導結合によって別の携帯用電子機器とデータを交換し得るので、これらのアプリケーションにおいて、ＮＦＣ技術の実装は、主要な関心事である。ＮＦＣ技術は、従って、ＧＳＭ、Ｂｌｕｅｔｏｏｔｈ（登録商標）、及びＷｉＦｉの機能性に加えた進んだ機能性と、これらの機能性の間の相互依存関係、例えば２つの携帯機器の間のＢｌｕｅｔｏｏｔｈ（登録商標）通信を初期化するためのＮＦＣ通信の使用を提供する可能性を、携帯用電子機器に提供する。
【０００９】
携帯用電子機器に内蔵されたＮＦＣ読み取り装置におけるエミュレーションモードの実装は、更なる利点として、例えば、地下鉄、バスのような公共交通機関へのアクセスを制御するアクセス制御アプリケーションまたは識別アプリケーションにおいて、携帯機器が非接触式チップカードのように使用できる状態になるという事実を提供する。ユーザがこれらのアプリケーションの支払いをしなければならないので、それらは、保護されていなければならない。それは、ＮＦＣ読み取り装置の動作が、サービスプロバイダによって購読者に提供されると共に、読み取り装置に挿入されなければならない、読み取り装置における取り外し可能なセキュリティーモジュールの存在に支配されることを示唆する。
【００１０】
取り外し可能なセキュリティーモジュールの供給を課すこれらの安全性の制限に加えて、エミュレーションモードにおけるＮＦＣ読み取り装置が、能動的モードにおける読み取り装置によって放出された磁界によって、電力を供給され得るということが望まれる。実際には、バッテリが完全に空であるとき、エミュレーションモードが使用できることを可能にするのと同様に、バッテリの充電量を維持するために、その読み取り装置が組み込まれる装置のバッテリは、通信の間に使用されるべきでない。実際には、もし携帯電話またはＰＤＡが、ユーザが輸送サービスにアクセスすることを可能にするための非接触式のチップカードとして使用されるならば、このサービスへのアクセスは、携帯電話のバッテリの状態、及びＰＤＡの状態によって変わってはいけない。
【００１１】
しかしながら、この目的は、図１を参照することによって理解されるであろういくらかの理由のために、単純な非接触式チップカードを装備するＮＦＣ読み取り装置より、取り外し可能なセキュリティーモジュールを装備するＮＦＣ読み取り装置によって達成することが、更に難しい。
【００１２】
図１は、保護されたＮＦＣ読み取り装置を統合する携帯電話のための標準の電子システム５の構成を概略的に示す。システム５の電話通信部分は、ＵＨＦアンテナ１１’と、ＳＩＭカード２０（“Suscriber Identification Module”）を装備しているベースバンド回路１１（標準のＧＳＭ電話通信回路）を備える。回路１１は、マザーボード１０に配置されると共に、マザーボード１０に固定された接触コネクタ１１２０を介して、シリアルデータバスＤＢ１によってＳＩＭカード２０に連結される。携帯電話のキーボード、ディスプレイ、及びボディのような周囲の構成要素は示されていない。
【００１３】
ＮＦＣ読み取り装置は、マザーボード１０に搭載されるリーダ回路１２と、リーダ回路１２に接続された入力端子Ａ、Ｂを有するアンテナ回路１３とを備える。アンテナ回路１３は、チューニングコンデンサとアンテナコイル１３’を備えると共に、搬送周波数Ｆｃ、例えばＩＳＯ／ＩＥＣ１４４４３標準、及びＩＳＯ／ＩＥＣ１５６９３標準に従って、本願のみにおける例として言及される１３．５６［ＭＨｚ］に合わせられる。リーダ回路１２、ベースバンド回路１１、及びＳＩＭカード２０は、携帯電話のバッテリ１５によって供給された内部の連続的な電圧Ｖｃｃｉによって、電力を供給される。
【００１４】
非接触式集積回路または受動的モードにおけるＮＦＣ読み取り装置とデータを交換するために、読み取り装置の能動的モードは、周波数励磁信号Ｆｃを、励磁信号の振幅を変調するため、そして負荷変調信号を検波して復調するためのアンテナ回路１３に印加するように設計されているリーダ回路１２によって実行される。更に、回路１１の物質資源（マイクロプロセッサ、プログラムメモリ等）は、この回路に保存された“アプレット”（アプリケーションプログラム）のおかげで、能動的モードにおけるアプリケーションを管理するために使用される。リーダ回路１２は、従って、一般的に、Ｉ２Ｃ（“Inter Integrated Circuit”）タイプ、またはＳＰＩ（“Serial Peripheral Interface”）タイプのデータバスＤＢ２によってベースバンド回路１１に連結される。
【００１５】
ＮＦＣ読み取り装置の保護されたエミュレーションモードは、これらの構成要素を、上記のタイプの受動的インタフェース回路１６及び取り外し可能なセキュリティーモジュール３０に加えることによって実装される。受動的インタフェース回路１６は、マザーボード１０に配置されると共に、モジュール３０は、マザーボードに取り付けられた接触コネクタ１０３０を用いて、回路１６に連結される。
【００１６】
受動的インタフェース回路１６は、リーダ回路１２と並列に、アンテナ回路１３に接続されている。（図１において概略的に示される）別の読み取り装置１００によって放出された交流磁界ＦＬＤが存在する場合に、アンテナコイル１３’と別の読み取り装置のアンテナコイル１１０との間の誘導結合によって、搬送周波数Ｆｃで振動するアンテナ信号ＳＡがアンテナ回路１３の端子に現れる。回路１６は、その場合に、アンテナ信号から連続的な電圧Ｖｃｃｅ、データ信号ＳＤＴｒ、及び周波数Ｆｃの一次クロック信号ＣＫ０を抽出する。
【００１７】
クロック信号ＣＫ０、及びデータ信号ＳＤＴｒは、これらの信号を形成する増幅回路ＴＲｉＧ１、ＴＲｉＧ２（例えば、シュミットトリガ）を通じて、モジュール３０に送信される。同様に、モジュール３０は、負荷変調スイッチＳＷｌｍに印加されるように、コネクタ１０３０を通過する前に増幅回路ＴＲｉＧ３によって形成される負荷変調信号Ｓｌｍを供給する。
【００１８】
最後に、電圧Ｖｃｃ、及び電気的な電位基準ＧＮＤ（グランド）が、コネクタ１０３０を介してモジュール３０に供給される。更に詳しくは、電圧Ｖｃｃは、抽出された電圧Ｖｃｃｅと内部の電圧Ｖｃｃｉを受け取る選択回路によって供給される。選択回路は、例えば、電圧Ｖｃｃｅが存在しないか、またはＶｃｃｉより低い場合に、電圧Ｖｃｃｉを供給し、もしそうでなければ、電圧Ｖｃｃｅを供給する、ダイオード回路Ｄ１、Ｄ２である（ダイオードＤ１、Ｄ２における電圧のドロップは無視すること）。
【００１９】
モジュール３０は、支持部材３１と、それに対してコネクタ１０３０の接触ブレード１０３１を押し付ける導体パッド３２と、支持部材３１に埋め込まれると共に、電気的に導体パッド３２に連結された金属接点を有する保護された集積回路３３とを備える。集積回路３３は、回路ＲＦＣＴ、マイクロプロセッサＭＰ、メモリアレイＭＡ、及び識別レジスタＩＤＲＥＧを備える。レジスタＩＤＲＥＧは、無線周波数伝送路の開設の間に介在する衝突防止識別子ＩＤを少なくとも有する。回路ＲＦＣＴは、着信データ信号ＳＤＴｒを復号化すると共に、発信する負荷変調信号Ｓｌｍを符号化するための回路を備える。メモリアレイＭＡは、受動的モードにおいて無線周波数伝送路を開設するためのプログラムと、１つ以上のアプリケーションを管理するためのプログラムとを有する。マイクロプロセッサＭＰは、従って、無線周波数フレームを読み取り装置１００と交換することによって、そして初期化ステップ及び衝突防止ステップの管理を特に保証することによって、受動的モードにおいて無線周波数伝送路を開設することができる。一度無線周波数伝送路が開設されれば、マイクロプロセッサは、無線周波数伝送路をアプリケーションデータの伝送手段として使用することによって、保護されたアプリケーションを管理することができる。同様に、読み取り装置１００は、無線周波数伝送路の開設を保証するソフトウェア階層、及びアプリケーションの管理を保証するソフトウェア階層を含む。マイクロプロセッサＭＰは、それがアプリケーションの安全性の面を管理することを可能にするために、暗号化回路及び乱数発生器のような様々な周辺回路を備えることができる。
【００２０】
（リーダ回路１１が電源をオフにされる）エミュレーションモードにおいて完全に受動的な方法で動作するＮＦＣ読み取り装置のために、受動的インタフェース回路１６によって供給される電圧Ｖｃｃｅ及び電流は、回路ＴＲｉＧ１、ＴＲｉＧ２、ＴＲｉＧ３、及びモジュール３０に対して電力を供給するのに十分でなければならない。
【発明の開示】
【発明が解決しようとする課題】
【００２１】
しかしながら、このＮＦＣ読み取り装置は、一般的に約２〜３ミリアンペアの無視することができない（non-negligible）電流を消費する。この電流は、読み取り装置１００との最大通信距離を、非接触式チップカードによって提供された最大通信距離と比較して、かなり減少させる（誘導結合によって回復される電力は、通信距離によって異なる誘導結合比率によって決まる）。従って、最大通信距離がアプリケーションの仕様によって課されると共に、最大通信距離が読み取り装置の可能性を上回るとき、エミュレーションモードは、装置のバッテリ１５からいくらかの電流をとることによって実行され得るだけである。
【００２２】
図２において示された実施例において、クロックＣＫ０及びデータＳＤＴｒリンクは、データとＰＳＫ（Phase Shift Keying）変調されたクロックキャリアのコンポジット信号Ｓ（ＳＤＴｒ、ＣＫ０）を伝送する“インタフェースＳ２Ｃ”と呼ばれる独特のリンクと交換される。コンポジット信号は、回路ＴＲｉＧ１、ＴＲｉＧ２によって供給された信号ＣＫ０、ＳＤＴｒを結合するＸＯＲゲートによって供給される。この独特のリンクは、例えば“S2C Interface for NFC, Adding a general purpose interface between NFC and Secure IC to Secure NFC, 21-01-2005, Survey V1.00”と表題をつけられた文書（http://www.semiconductors.philips.com/acrobat/other/identification/S2C_survey_10.pdf）において説明される。
【００２３】
しかしながら、この実施例は、受動的インターフェース回路１６によって供給される電圧Ｖｃｃｅと電流は、更にＸＯＲゲートに電力を供給しなければならず、電気的に消費過剰であるという問題を解決しない。
【００２４】
本発明が基づいている見解によれば、増幅回路ＴＲｉＧ１、ＴＲｉＧ２、ＴＲｉＧ３は、受動的インタフェース回路１６によってアンテナ回路から抽出された電力量の大部分、例えばこのエネルギーの３０％〜５０％を消費するように思われる。実際には、これらの回路は、特にコネクタの接触ブレード１０３１とモジュール３０の導体パッド３２との間に現れるコネクタ浮遊容量のためにコネクタ１０３０を通過するときに信号ＣＫ０及びＳＤＴｒに現れる電気的損失を補償するのに十分な出力電圧及び電流を供給しなければならない。更に、回路が１３．５６［ＭＨｚ］である高周波で切り替わるので、回路ＴＲｉＧ１の電力消費量は高い。
【００２５】
従って、本発明の１つの目的は、エミュレーションモードにおいて低い電力消費量を有するＮＦＣ読み取り装置の構成を提供することである。
【００２６】
本発明の２つ目の目的は、満足な通信距離を提供しながら、自立的にエミュレーションモードにおいて動作することができるＮＦＣ読み取り装置を提供することである。
【課題を解決するための手段】
【００２７】
これらの目的を達成するために、本発明のアイデアは、読み取り装置の固定した部分（上の例におけるマザーボード）において、そして好ましくは受動的インタフェース回路のすぐ近くにおいて、取り外し可能なセキュリティーモジュールの介入なしに、無線周波数伝送路の開設を保証すると共に、無線周波数伝送路を開設した後で、取り外し可能なセキュリティーモジュールにアプリケーションデータを転送することができるエミュレーション回路を提供することである。
【００２８】
更に詳しくは、本発明は、アンテナ回路のインピーダンスを変調すると共に、前記アンテナ回路からデータ信号及び無線周波数クロック信号を抽出するための受動的インタフェース回路、及び読み取り装置を取り外し可能なセキュリティーモジュールに接続するための手段と、別の読み取り装置と無線周波数伝送路を開設すると共に、前記取り外し可能なセキュリティーモジュールに、無線周波数伝送路を通して受信されたアプリケーションデータを転送し、前記取り外し可能なセキュリティーモジュールから受信されたアプリケーションデータを無線周波数伝送路に送信するためのエミュレーション回路と、前記エミュレーション回路を前記受動的インタフェース回路に連結すると共に、それを用いてデータ信号及び無線周波数クロック信号が前記エミュレーション回路に供給される取り外し不可能な電気的リンクと、その周波数が無線周波数クロック信号の周波数より低いバスクロック信号によって計時される、前記エミュレーション回路を前記取り外し可能なセキュリティーモジュールに連結するためのデータバスとを備える誘導結合型読み取り装置を提供する。
【００２９】
一実施例によれば、前記受動的インタフェース回路と前記エミュレーション回路とは、同じ半導体チップ上に配置される。
【００３０】
一実施例によれば、前記エミュレーション回路は、無線周波数伝送路の開設の間に読み取り装置を識別するために前記エミュレーション回路によって使用される少なくとも１つの識別子を含む識別レジスタを備える。
【００３１】
一実施例によれば、前記エミュレーション回路は、無線周波数伝送路を介して受信されたアプリケーションデータを、前記取り外し可能なセキュリティーモジュールに対してそれらを転送する前に記憶するためのバッファメモリを備える。
【００３２】
一実施例によれば、前記バッファメモリは、無線周波数伝送路を介して受信されたデータを受信する入力端子と、これらのデータを前記取り外し可能なセキュリティーモジュールに送信するためのデータバスに連結された出力端子とを有する少なくとも１つのＦＩＦＯバッファを備える。
【００３３】
一実施例によれば、前記受動的インタフェース回路は、前記アンテナ回路から持続的な電源電圧を抽出すると共に、前記エミュレーション回路と前記取り外し可能なセキュリティーモジュールは、この持続的な電源電圧によって独占的に電力を供給される。
【００３４】
一実施例によれば、前記データバスは、ＩＳＯ７８１６に規定されるバスである。
【００３５】
一実施例によれば、前記バスクロック信号は、前記無線周波数クロック信号の周波数の少なくとも“１／２５”倍の低い周波数を有している。
【００３６】
一実施例によれば、前記読み取り装置は、データバスを介してＳＩＭカードに連結される電話通信回路ＧＳＭを備える。
【００３７】
一実施例によれば、前記ＳＩＭカードと前記取り外し可能なセキュリティーモジュールは、１つのモジュールだけを形成する。
【００３８】
一実施例によれば、前記エミュレーション回路と前記ＧＳＭ電話通信回路は、バス多重化回路を用いて共有された共通バスによって、前記取り外し可能なセキュリティーモジュールにアクセスする。
【００３９】
本発明は、更に、本発明による読み取り装置を備えるＰＤＡまたは携帯電話タイプの携帯機器に関係する。
【００４０】
本発明は、更に、アンテナ回路のインピーダンスを変調すると共に、前記アンテナ回路からデータ信号及び無線周波数クロック信号を抽出するために提供される受動的インタフェース回路と、保護されたアプリケーションを管理するために提供される取り外し可能なセキュリティーモジュールとを備えた誘導結合型読み取り装置における受動的動作モードを実行するための方法に関係し、前記方法は、前記取り外し可能なセキュリティーモジュールと異なるエミュレーション回路を提供すると共に、それを用いてデータ信号及び無線周波数クロック信号が前記エミュレーション回路に供給される取り外し不可能な電気的リンクを介して、前記エミュレーション回路を前記受動的インタフェース回路に接続する段階と、前記エミュレーション回路を用いて、無線周波数伝送路を開設すると共に、前記取り外し可能なセキュリティーモジュールに、前記エミュレーション回路により無線周波数伝送路を通して受信されたアプリケーションデータを転送し、前記取り外し可能なセキュリティーモジュールから前記エミュレーション回路により受信されたアプリケーションデータを無線周波数伝送路に送信する段階と、その周波数が無線周波数クロック信号の周波数より低いバスクロック信号によって計時されるデータバスを用いて、前記エミュレーション回路を前記取り外し可能なセキュリティーモジュールに連結する段階とを有する。
【００４１】
一実施例によれば、前記受動的インタフェース回路と前記エミュレーション回路とは、同じ半導体チップ上に配置される。
【００４２】
一実施例によれば、前記方法は、前記エミュレーション回路において、無線周波数伝送路の開設の間に読み取り装置を識別するために前記エミュレーション回路によって使用され得る少なくとも１つの識別子を含む識別レジスタを提供する段階を有する。
【００４３】
一実施例によれば、前記方法は、前記エミュレーション回路において、無線周波数伝送路を介して受信されたアプリケーションデータを、前記取り外し可能なセキュリティーモジュールに対してそれらを転送する前に記憶するためのバッファメモリを提供する段階を有する。
【００４４】
一実施例によれば、前記方法は、前記エミュレーション回路において、無線周波数伝送路を介して受信されたデータを受信する入力端子と、これらのデータを前記取り外し可能なセキュリティーモジュールに送信するためのデータバスに連結された出力端子とを有する少なくとも１つのＦＩＦＯバッファを提供する段階を有する。
【００４５】
一実施例によれば、前記方法は、前記アンテナ回路から持続的な電源電圧を抽出する段階と、この電圧を前記エミュレーション回路と前記取り外し可能なセキュリティーモジュールに独占的な電源電圧として印加する段階とを有する。
【００４６】
一実施例によれば、前記データバスは、ＩＳＯ７８１６に規定されるバスである。
【００４７】
一実施例によれば、前記バスクロック信号は、前記無線周波数クロック信号の周波数の少なくとも“１／２５”倍の低い周波数を有している。
【００４８】
一実施例によれば、読み取り装置は、ＳＩＭカードに連結される電話通信回路ＧＳＭに結合されると共に、前記ＳＩＭカードと前記取り外し可能なセキュリティーモジュールは、１つのモジュールだけを形成する。
【００４９】
一実施例によれば、前記方法は、前記エミュレーション回路と前記ＧＳＭ電話通信回路によって共有された、前記取り外し可能なセキュリティーモジュールにアクセスするための共通バスを提供する段階を有する。
【００５０】
本発明は、更に、半導体チップ上の集積回路形式の誘導結合型読み取り装置に関係し、前記読み取り装置は、集積回路をアンテナ回路に接続するための第１のポート、及び集積回路を取り外し可能なセキュリティーモジュールに接続するための第２のポートと、前記アンテナ回路のインピーダンスを変調すると共に、前記アンテナ回路からデータ信号及び無線周波数クロック信号を抽出するための受動的インタフェース回路と、別の読み取り装置と無線周波数伝送路を開設すると共に、無線周波数伝送路を通して受信されたアプリケーションデータを前記第２のポートに転送し、前記第２のポートを介して受信されたアプリケーションデータを無線周波数伝送路に送信するためのエミュレーション回路と、前記エミュレーション回路を前記受動的インタフェース回路に連結すると共に、それを用いてデータ信号及び無線周波数クロック信号が前記エミュレーション回路に供給される取り外し不可能な電気的リンクとを備える。
【００５１】
一実施例によれば、前記エミュレーション回路は、無線周波数伝送路の開設の間に読み取り装置を識別するために前記エミュレーション回路によって使用される少なくとも１つの識別子を含む識別レジスタを備える。
【００５２】
一実施例によれば、前記エミュレーション回路は、無線周波数伝送路を介して受信されたアプリケーションデータを、前記第２のポートに対してそれらを転送する前に記憶するためのバッファメモリを備える。
【００５３】
一実施例によれば、前記バッファメモリは、無線周波数伝送路を介して受信されたデータを受信する入力端子と、これらのデータを取り外し可能なセキュリティーモジュールに送信するための前記第２のポートに連結された出力端子とを有する少なくとも１つのＦＩＦＯバッファを備える。
【００５４】
一実施例によれば、前記受動的インタフェース回路は、前記アンテナ回路から持続的な電源電圧を抽出するための回路を備えると共に、前記エミュレーション回路と前記取り外し可能なセキュリティーモジュールは、この持続的な電源電圧によって独占的に電力を供給される。
【００５５】
一実施例によれば、前記読み取り装置は、前記アンテナ回路を励磁するための信号を前記第１のポートに印加するために設計された非接触式のチップリーダ回路と、集積回路を、前記チップリーダ回路を制御するための外部回路に接続するための、前記チップリーダ回路に連結された第３のポートとを更に備える。
【００５６】
一実施例によれば、前記読み取り装置は、前記第２のポートに連結されたバス管理回路と、無線周波数クロック信号から、その周波数が無線周波数クロック信号の周波数より低いバスクロック信号を抽出すると共に、前記バスクロック信号を前記バス管理回路に印加するための回路とを備える。
【００５７】
一実施例によれば、前記バス管理回路は、ＩＳＯ７８１６に規定されるバス管理を保証する。
【００５８】
一実施例によれば、前記無線周波数クロック信号から前記バスクロック信号を抽出するための回路は、その周波数が前記無線周波数クロック信号の周波数の少なくとも“１／２５”倍の低い周波数である前記バスクロック信号を供給するために設計される。
【００５９】
一実施例によれば、前記読み取り装置は、前記第２のポートに連結された出力端子と、前記バス管理回路に連結された第１の入力端子と、集積回路の第４のポートに連結された第２の入力端子とを有するバス多重化回路を備える。
【発明を実施するための最良の形態】
【００６０】
本発明のこれら及び他の目的、利点、及び特徴は、添付の図面に関連するが、それに限定されずに与えられる、以下の本発明の実施例の説明において、更に詳細に説明されることになる。
【００６１】
図３は、本発明によるＮＦＣ読み取り装置を組み込む携帯電話のための電子システム５０の構成を概略的に示す。
【００６２】
システム５０の電話通信部分は、図１との関係において同じ参照符号によって示される、既に説明された構成要素、すなわち、ベースバンド回路１１、ＵＨＦアンテナ１１’、及びＳＩＭカード２０を備える。以前に説明されたように、回路１１は、マザーボード１０に配置されると共に、接触コネクタ１１２０を介して、データバスＤＢ１によりＳＩＭカード２０に連結される。携帯電話のキーボード、ディスプレイ、及びボディのような周辺の構成要素は示されない。
【００６３】
本発明によるＮＦＣ読み取り装置は、図１における読み取り装置のように、マザーボード１０に搭載されるリーダ回路１２を備えると共に、アンテナ回路１３は、搬送波周波数Ｆｃ、例えば１３．５６［ＭＨｚ］に合わせられる。アンテナ回路１３は、ここではマザーボード１０上に示されたが、電話機のボディの他の位置に配置され得る。古典的に、リーダ回路１２は、アンテナ回路１３に励磁信号を印加すると共に、データバスＤＢ２を用いて、ベースバンド回路１１によって制御される。これらの構成要素は、携帯電話のバッテリ１５により供給される内部の連続的な電圧Ｖｃｃｉによって電力を供給される。
【００６４】
ＮＦＣ読み取り装置のエミュレーションモードの実行は、同じ参照符号の上述された受動的インタフェース回路１６、本発明によるエミュレーション回路１７、及び支持部材に埋め込まれる保護された集積回路４３を含む取り外し可能なセキュリティーモジュール４０によって保証される。回路１７と保護された集積回路４３との間の電気的リンクは、保護された集積回路４３の金属接点に連結される支持部材４１の導体パッド４２に圧力をかける、回路１７に連結される接触ブレード１０４１を含む接触コネクタ１０４０によって保証される。
【００６５】
マザーボード上に配置される受動的インタフェース回路１６は、リーダ回路１２と並列に、アンテナ回路１３に接続されている。図４において示されたように、受動的インタフェース回路１６は、負荷変調スイッチＳＷ１ｍ、スイッチＳＷＰ、復調回路ＤＥＭＣＴ、クロック抽出回路ＣＫＣＴ、及び電源抽出回路ＰＳＥを備える。回路ＰＳＥは、例えばダイオード整流器Ｐｄ（ダイオードブリッジ）、平滑コンデンサＣｓ、及び調整回路（regulation circuit）ＲＥＧＣＴを備える。
【００６６】
スイッチＳＷＰは、リーダ回路１２がアンテナ回路に励磁信号を印加するときに、スイッチを開いてアンテナ回路１３から回路ＰＳＥ、ＤＥＭＣＴ、ＣＫＣＴを切断するようにリーダ回路１２によって送信された、信号ＥＭＳによって駆動される。スイッチは、好ましくは、通常時クローズタイプのスイッチであると共に、従ってリーダ回路１２が電力を供給されず信号ＥＭＳが存在しない場合は、導通状態にある。
【００６７】
読み取り装置１００によって放出された交流磁界ＦＬＤがアンテナ回路１３において周波数Ｆｃの交流アンテナ信号ＳＡを生成するとき、回路ＰＳＥは、連続的な電圧Ｖｃｃｅを供給し、回路ＤＥＭＣＴは、アンテナ信号ＳＡに含まれる搬送波Ｆｃを除去すると共に、アンテナ信号のエンベロープ（復調されるが、しかし復号化されない生データ）を表すデータ信号ＳＤＴｒを供給し、回路ＣＫＣＴは、周波数Ｆｃの一次クロック信号ＣＫ０を供給する。
【００６８】
再び図３を参照すると、従来技術とは逆に、クロックＣＫ０及びデータＳＤＴｒ信号がモジュール４０に直接送られず、局所的に処理されるためにエミュレーション回路１７によって横取りされることが分かる。同様に、負荷変調信号Ｓｌｍは、モジュール４０によって送られず、エミュレーション回路１７によって放出される。更に、エミュレーション回路１７は、取り外し不可能な常設の電気的リンクを形成する固定された導体によってインタフェース回路１６に連結される。
【００６９】
好ましくは、回路１６と回路１７は、リンクの導体が短くなるように、半導体チップ上の集積回路ＩＣＲＤ１の形式で作られる。従って、回路１６と回路１７との間にコネクタは介在せず、信号ＣＫ０、ＳＤＴｒは、そのインピーダンスが完全に習得されていると共に、そこには容量性の損失がほとんどない短い導体ラインに沿って、回路１６と回路１７との間を通過する。従って信号ＳＤＴｒと信号Ｃｋ０を転送するために回路は必要ではない。付随的に、リーダ回路１２が、更にこの半導体チップ上に統合され、それは、その場合に、携帯電話または他の装置において容易に配置されることができる集積回路の形式でＮＦＣ読み取り装置を形成する。
【００７０】
読み取り装置１００が、その交信領域を探索する尋問命令（interrogation command）または在庫調査命令（inventory command）を放出するとき、エミュレーション回路１７は、読み取り装置１００による無線周波数伝送路の開設まで、非接触式集積回路の動作または“反応（behavior）”をエミュレートすることによって、リクエストに応答すると共に、衝突防止ステップを含んだ非接触の通信を初期化するステップを実行する。モジュール４０は、従って、無線周波数プロトコルの管理から解放されると共に、アプリケーション階層（個人的なプロトコル）を管理することだけを担当する。
【００７１】
無線周波数伝送路が開設されているとき、エミュレーション回路１７は、無線周波数伝送路を通過するアプリケーションデータのブロックに関して透過的な状態に入り、それは、読み取り装置１００によって送信されたアプリケーションデータをモジュール４０に対して通過させるか、またはモジュール４０によって送信されたアプリケーションデータを読み取り装置１００に対して通過させる。
【００７２】
更に、本発明の任意の、しかし有利な特徴によると、アプリケーションデータは、コネクタ１０４０を通過すると共に、その周波数が一次クロック信号ＣＫ０の周波数Ｆｃより低いクロック信号によって計時されるマスタ／スレーブタイプのシリアルデータバスＤＢ３を用いてモジュール４０に送信される。従って、バスＤＢ３は、無線周波数で切り替わらず電流をほとんど消費しない電子的な構成要素によって制御される。
【００７３】
無線周波数伝送路管理の機能（エミュレーション回路１７）の断片化とアプリケーション管理の機能（モジュール４０）の断片化を有するＮＦＣ読み取り装置のこの構成、及び非無線周波数データバスの使用は、図１において示された読み取り装置の構成と比較して、ＮＦＣ読み取り装置の電力消費量に関して、明瞭な利点を提供する。
【００７４】
図３における点線によって示されたように、もしそれが集積回路ＩＣＲＤ１の形式で作られるならば、ＮＦＣ読み取り装置は、従って、集積回路をアンテナ回路１３に接続するための第１のポートＰ１、バスＤＢ３を集積回路に接続するための第２のポートＰ２、バスＤＢ２を集積回路に接続するための第３のポートＰ３を備える。アンテナ回路の一部分、特に同調コンデンサは、（使用される技術に従って）恐らくは半導体チップ上に統合され得る。そのような場合、集積回路に接続されているべきアンテナ回路は、アンテナコイル、または、アンテナコイルと半導体チップ上に統合されなかった他の構成要素だけを備えることができる。
【００７５】
インタフェース回路１６によって供給された連続的な電圧Ｖｃｃｅは、ここでは直接エミュレーション回路１７に印加されると共に、その電源を独占的に保証する。この電圧Ｖｃｃｅは、同様に、バスＤＢ３を介してモジュール４０に供給されると共に、同様に、モジュール４０の電源を保証する。これらの状態において、エミュレーションモードを保証するＮＦＣ読み取り装置の一部分、すなわちエミュレーション回路１７とモジュール４０（受動的インタフェース回路１６は電力を供給されることを必要としない）は、外部磁界ＦＬＤによって自身で電力が供給される。
【００７６】
エミュレーション回路１７の実施例は、保護された集積回路４３の構成例と同様に、図５において示される。
【００７７】
保護された集積回路４３は、マイクロプロセッサ４３１と、メモリアレイ４３２と、例えば暗号化回路及び／またはパスワードを保護するための回路を含む安全管理のための周辺回路４３３と、スレーブモードで動作するバス管理回路４３４とを備える。メモリアレイ４３２は、少なくとも１つのアプリケーションを管理するためのプログラムを有すると共に、従来技術と異なり、無線周波数通信を初期化するためのプログラムを有していない。同様に、従来技術と異なり、保護された集積回路４３は、無線周波数通信プロトコルのための衝突防止識別子と、無線周波数伝送路を開設するための符号化及び復号化回路を有していない。
【００７８】
エミュレーション回路１７は、以下の主要な構成要素を備える。
−データバッファ１７０を形成する２個のＦＩＦＯバッファ１７０．１、１７０．２（“先入れ先出し”バッファ）、
−識別レジスタ１７１、
−クロック発生器１７２、
−バス管理ユニット１７３、
−復号化回路１７４、そして
−符号化回路１７５。
【００７９】
これらの構成要素は、点線におけるリンクによって概略的に示された様々な制御信号を用いて、制御ユニット１７７（μＣ）によって制御される。これらの構成要素は複雑な構成を有すると共に、それらの実装は当業者の手の届く範囲にあるので、それらの機能だけが、以下で説明されることになる。ここで、エミュレーション回路１７は、ＩＳＯ／ＩＥＣ１４４４３タイプＡ、ＩＳＯ／ＩＥＣ１４４４３タイプＢ、及びＩＳＯ／ＩＥＣ１５６９３のプロトコルと互換性がある、マルチプロトコル回路であるとみなされる。もちろん、当業者は、他の複数プロトコルとの互換性、または更に１つのプロトコルだけとの互換性を提供することができるであろう。
【００８０】
「識別レジスタ１７１」
レジスタ１７１は、ＩＳＯ／ＩＥＣ１４４４３−３／Ａ、またはＩＳＯ／ＩＥＣ１５６９３に基づいた一意の識別子「ＵＩＤ」（分散型の固定番号）、及びＩＳＯ／ＩＥＣ１４４４３−３／Ｂに基づいた識別子「ＰＵＰＩ」（疑似的な一意の識別子）を形成する少なくとも１つの衝突防止識別子ＩＤを有する。分散型の固定番号を提供する代わりに、もしＵＩＤと異なると共に、動的に生成される識別子“ＰＵＰＩ”を提供することが望まれる場合、レジスタ１７１は、回路がセットアップされた時に（個人化ステップ：personalization step）、その中にＵＩＤが格納される不揮発性の部分（ＲＯＭ）と、ランダムな“ＰＵＰＩ”もしくは擬似ランダムな“ＰＵＰＩ”を生成するための手段に連結された揮発性の部分とを備えることができる。
【００８１】
「クロック発生器１７２」
クロック発生器１７２は、一次クロック信号ＣＫ０を受け取ると共に、その周波数が周波数Ｆｃより低い信号ＣＫ１、ＣＫ２、ＣＫ３を供給する周波数分割器（分周器）である。信号ＣＫ１は、順序付けクロック信号として、制御ユニット１７７に印加される。信号ＣＫ２は、バスクロック信号として、バス管理ユニット１７３に印加されると共に、信号ＣＫ３は、副搬送波周波数信号Ｆｓｃとして、符号化回路１７５に印加される。
【００８２】
「復号化回路１７４と符号化回路１７５」
復号化回路１７４と符号化回路１７５は、非接触式集積回路において使用されるタイプの標準の回路である。無線周波数接続に関して非接触式集積回路と同じ機能を実質的に有するエミュレーション回路１７、及び符号器及び復号器のような低レベルの通信インタフェースは、技術水準に関して特別な修正を必要としない。
【００８３】
復号化回路１７４は、並列にＤＥＣ１、ＤＥＣ２、ＤＥＣ３の３つの復号器を備え、それぞれは、データ信号ＳＤＴｒを受信すると共に、それぞれは、前述の標準の内の１つに従って復号化動作を実行し、復号器ＤＥＣ１はＩＳＯ／ＩＥＣ１４４４３−Ａによる復号化を保証し、復号器ＤＥＣ２はＩＳＯ／ＩＥＣ１４４４３−Ｂによる復号化を保証し、そして復号器ＤＥＣ３はＩＳＯ／ＩＥＣ１５６９３による復号化を保証する。データ信号ＳＤＴｒが受け取られるとき、使用されるべき復号器は、復号化回路１７４の出力において、誤差信号を供給しない復号器の出力を選択することによって決定される。復号器は、復号化されたデータ信号ＳＤＴｒから生成される着信データ信号ＤＴｒを供給する。各復号器は、古典的に、ビット復号化ステージ、ワード復号化ステージ、及びフレーム復号化ステージを備える。
【００８４】
更に良く理解するために、いわゆる“長距離の（long range）”のアプリケーションに使用される標準のＩＳＯ／ＩＥＣ１５６９３が、ビットのペアによる、そしてパルス位置によるビット符号化を特に提供すると共に、パルスは、一時的なセグメントにおける４つのポジションを占めることができる磁界のホールによって形成されるということが思い出されることになる。このプロトコルは、約２６［キロビット／秒］の全く低いデータ速度であるが、しかし数十センチメートルの高い通信距離を提供し、それは１メートルに達することができる。更に、ＩＳＯ／ＩＥＣ１４４４３−Ａは、変形ミラー（Modified Miller）タイプのビット符号化、及び１００％の磁界振幅変調（ＡＳＫ変調）を提供し、ＩＳＯ／ＩＥＣ１４４４３−Ｂは、ＮＲＺタイプのビット符号化、及び１０％の磁界振幅変調を提供すると共に、これらのオプションのぞれぞれは、１０６［キロビット／秒］、２１２［キロビット／秒］、または４２４［キロビット／秒］の更に高いデータ速度であるが、しかし更に短い通信距離を提供する。
【００８５】
同様に、符号化回路１７５は、並列にＣＯＤ１、ＣＯＤ２、ＣＯＤ３の３つの符号器を備えると共に、それらの内の１つは、復号器１７４によって識別される着信データの符号化のタイプに従い、制御ユニット１７７によって活性化される。符号器は、マルチプレクサ１７６によって選択されたデータを受け取ると共に、インタフェース回路１６（図４）のスイッチＳＷｌｍに印加される負荷変調信号Ｓｌｍを供給する。各符号器は、前述の標準の内の１つに従って発信データを符号化するために提供されると共に、ビット符号化ステージ、ワード符号化ステージ、及びフレーム符号化ステージを備える。
【００８６】
更に、標準ＩＳＯ／ＩＥＣ１４４４３−Ａは、副搬送波周波数Ｆｃ／１６及びマンチェスター符号化を使用する負荷変調によるビット符号化を提供し、一方、標準のＩＳＯ／ＩＥＣ１４４４３−Ｂは、同じく副搬送波周波数Ｆｃ／１６を用いて、非ゼロ復帰（Non-Return-to-Zero：ＮＲＺ）によるＢＰＳＫタイプ（２相位相符号化：Binary Phase Shift Coding）のビット符号化を提供するということが思い出されることになる。ここで、この副搬送波は、クロック発生器１７２によって符号化回路１７５に供給される信号ＣＫ３である。更に、標準のＩＳＯ／ＩＥＣ１５６９３は、副搬送波周波数Ｆｃ／３２（４２３［ＫＨｚ］）を使用する第１の負荷変調モードを提供すると共に、２つの副搬送波周波数Ｆｃ／３２及びＦｃ／２８をそれぞれ使用する第２の負荷変調モードを提供する。
【００８７】
「バス管理ユニット１７３」
バス管理ユニット１７３は、マスタ装置としてバスＤＢ３の管理を保証する。それは、バッファ１７０．１に存在するデータをその入力端子で受け取ると共に、制御ユニット１７７の決定に基づいてそれらをバスＤＢ３に送信する。保護された集積回路４３内のバスの反対側において、バス管理ユニット４３４は、データの受信を保証する。更にユニット１７３は、保護された集積回路４３がアプリケーションセッションの間に読み取り装置１００に送信するデータ転送を保証する。これらのデータは、ユニット１７３によって、ＦＩＦＯバッファ１７０．２の入力端子に印加される。図５に示された実施例において、バスＤＢ３は、ＩＳＯ／ＩＥＣ７８１６タイプのバスであると共に、ワイヤＶｃｃ、ワイヤＧＮＤ（グランド線）、ワイヤＣＫ（クロックワイヤ）、ワイヤＩ／Ｏ（双方向性のデータワイヤ）、及びワイヤＲＳＴ（“リセット”）を備える。
【００８８】
ユニット１７３は、ワイヤＶｃｃに受動的インタフェース回路１６によって供給された電圧Ｖｃｃｅを印加すると共に、電圧Ｖｃｃｅは、上述のように集積回路４３によって電源電圧として使用される。更に、ユニット１７３は、データ転送を計時するために、ワイヤＣＫにバスクロック信号としてクロック信号ＣＫ２を印加する。
【００８９】
本発明の任意の、しかし有利な特徴によれば、クロック信号ＣＫ２の周波数は、無線周波数伝送路によって使用されるプロトコルに基づいて、クロック発生器１７２によって設定される。従って、もしＩＳＯ／ＩＥＣ１５６９３プロトコルに従って無線周波数伝送路が開設されたならば、信号ＣＫ２は、無線周波数伝送路によって提供される２６［キロビット／秒］に対応する約２６［ＫＨｚ］に設定される。もし無線周波数伝送路がＩＳＯ／ＩＥＣ１４４４３プロトコルＡまたはＢタイプに従って開設されたならば、信号ＣＫ２は、無線周波数伝送路によって提供される１０６［キロビット／秒］に対応する約１０６［ＫＨｚ］に設定される。
【００９０】
「制御装置１７７とＦＩＦＯバッファ１７０．１、１７０．２」
上述のように、制御ユニット１７７はエミュレーション回路１７のコアであると共に、上述の周辺要素は、機能に関して標準的である。
【００９１】
エミュレーション回路が低い電力消費量を有するように、制御ユニットは、マイクロプロセッサよりむしろ、好ましくはワイヤードロジックの有限状態機械である。無線周波数伝送路の確立に専念する制御ユニット、遷移状態、及びこれらの状態の間の条件は、前述の標準によって定義される。（例えば、１４４４３−３／Ａは、図６“タイプＡの近接カード状態図”、１４４４３−３／Ｂは、図１９“近接カード状態遷移フローチャート”を参照。）
【００９２】
制御ユニット１７７は、図６におけるチャートによって示された以下のステップを実行するように構成される。
【００９３】
ステップ１７００：それが読み取り装置１００との通信の初期化に関係する限り、全着信データストリームＤＴｒ（復号器１７４の出力）を横取りし、読み取り装置１００によって送信された衝突防止命令を処理すると共に、これらの命令に対する応答を生成する。
【００９４】
ステップ１７０１：無線周波数伝送路が開設された場合、バス管理ユニット１７３を用いて、バスＤＢ３を介して、モジュール４０と内部伝送路を開設し、そして無線周波数伝送路を介して受信された着信アプリケーションデータを、透過的に内部伝送路に送信すると共に、内部伝送路を介してモジュール４０から受信された発信アプリケーションデータを無線周波数伝送路で読み取り装置１００に送信する。
【００９５】
ステップ１７０２：通信の終了命令（例えば、非選択命令）を検出すると共に、データの送信を終了する。
【００９６】
制御ユニット１７７に割り当てられた機能は、内部伝送路において、着信データをブロックするか、または反対に転送するために、ＦＩＦＯバッファ１７０．１を使用することによって、そして内部伝送路を介して受信されたアプリケーションデータを無線周波数伝送路に送信するために、ＦＩＦＯバッファ１７０．２及びマルチプレクサ１７６を使用することによって、ここで実行される。その目的のために、復号化回路１７４の出力端子は、ＦＩＦＯバッファ１７０．１の入力端子、及び制御ユニット１７７の入力端子に連結される。ＦＩＦＯバッファ１７０．２の出力端子は、マルチプレクサ１７６の第１の入力端子に連結されると共に、制御ユニット１７７は、マルチプレクサの第２の入力端子に連結される。マルチプレクサは、制御ユニット１７７によって駆動されると共に、符号化回路１７５の入力端子に、制御ユニット１７７が発する制御データ（無線周波数伝送路の初期化命令及び衝突防止命令に対する応答）を印加するためか、または符号化回路１７５の入力端子に、モジュール４０から受信されると共にＦＩＦＯバッファに格納されたアプリケーションデータを印加するために使用される。
【００９７】
着信データに関して、制御ユニット１７７は、ここでは以下の動作を実行するように構成される。
【００９８】
１）無線周波数伝送路が開設されていない限り、着信データの全てを分析し、ＦＩＦＯバッファ１７０．１をブロックし、バスＤＢ３を抑制すると共に、これらのデータに含まれる初期化命令及び衝突防止命令を復号化し、符号化回路１７５を介して応答を送信することによって命令を実行する。
【００９９】
２）無線周波数伝送路が開設されている場合、制御データが受信されるまで、ＦＩＦＯバッファ１７０．１をブロックし、アプリケーションデータが受信されるとＦＩＦＯバッファ１７０．１を活性化し、そしてデータがモジュール４０に送信されるように、バスＤＢ３を活性化する。
【０１００】
モジュール４０によって発せられた発信アプリケーションデータに関して、制御ユニット１７７は、ここでは以下の動作を実行するように構成される。
【０１０１】
１）バスＤＢ３を受信設定にセットすると共に、アプリケーションデータを格納するために、バッファ１７０．２を活性化する。
【０１０２】
２）バッファ１７０．２においてアプリケーションデータが受信されると同時に、アプリケーションデータに先行しなければならないフレームデータ（またはブロックデータ）の先頭を生成すると共に、それらを符号化回路１７５に印加し、そしてバッファ１７０．２に存在するアプリケーションデータを符号化回路に印加し、もし必要ならば、フレームデータ（またはブロックデータ）の最後を生成すると共に、それらを符号化回路に印加する。
【０１０３】
着信データに存在するエラー検出コード（ＣＲＣ）を確認するステップ、エラー検出コードを生成して発信データに挿入するステップは、好ましくはそれぞれ復号化回路１７４及び符号化回路１７５のフレーム復号化ステージ及びフレーム符号化ステージによって実行される。恐らく、ワードビットの先頭及びワードビットの最後を検出するか、もしくは挿入するステップは、好ましくはそれぞれ復号化回路１７４及び符号化回路１７５のワード復号化ステージ及びワード符号化ステージによって実行される。
【０１０４】
要するに、制御ユニット１７７は、無線周波数伝送路の開設を目的とする受信された命令とアプリケーションデータブロックとを区別すると共に、それが、これらのデータを処理するか否か、もしくはそれが、これらのデータをモジュール４０に渡すか否かを決定する。
【０１０５】
その一方で、保護された集積回路４３は、図６において同じく示された以下のステップを実行することによって、制御ユニットによって送信されたアプリケーションデータが提供するアプリケーション階層の制御を保証する。
【０１０６】
ステップ４００：集外部磁界から抽出された電圧Ｖｃｃｅによって、集積回路４３に電力を供給した後で、アプリケーション階層からの最初のアプリケーション命令を待つ。
【０１０７】
ステップ４０１：トランザクション（transaction）を確立することを目的とするアプリケーション命令を受信すると共に、処理する。これらの命令は、接触式カードのために以前に開発された既知のアプリケーション、そしてアプリケーションの見地から透過的である無線周波数伝送路において使用されるあらゆるタイプの安全性に関する命令、及び特にその応答が保護された集積回路４３に適した暗号作成アルゴリズムを使用するランダムな言葉を含む認証命令を含むことができる。
【０１０８】
ステップ４０２：トランザクションを処理する。それは、例えば、ユーザがサービスにアクセスする（転送するか、またはその他）ことを可能にするために、集積回路のメモリアレイ４３２に存在するユニットカウンタを生成することを目的とするトランザクションであり得る。
【０１０９】
ステップ４０３：もし集積回路４３がまだ電力を供給されているならば、アプリケーション階層に特有の適応命令によってトランザクションを終了すると共に、待機ステップ４００に戻る。
【０１１０】
ステップ１７０１において、無線周波数伝送路が開設されているとき、制御ユニット１７７は、アプリケーションデータストリームが制御されることを可能にするデータストリームの一部分を管理し続け得る。この場合に、ＩＵＴ−Ｔ（国際電気通信連合）のＯＳＩモデルに従って、もしセッション階層がデータリンク階層と結合される場合、アプリケーション階層のデータを転送するための何らかの方法におけるデータブロックの交換は、その場合に、無線周波数伝送路の制御フィールドの処理を少なくとも必要とするので、それは、その間にプロローグ及びエピローグフィールドが制御ユニット１７７の制御下にある、ＩＳＯ／ＩＥＣ１４４４３−４／Ｂに従うアプリケーションセッションのシーケンスの開設の一例の説明によって、以下で明らかにされることになる。
【０１１１】
図７において示された変形例において、無線周波数伝送路を開設した後のデータリンク階層の制御、すなわち無線周波数伝送路の監視は、取り外し可能なセキュリティーモジュール４０に割り当てられる。従って、ステップ４０１、４０２、４０３と平行して、保護された集積回路４３は、アプリケーション階層に属していないと共に、無線周波数伝送路が管理されることを可能にするデータを処理する。そのような場合に、エミュレーション回路１７は、ステップ１７０１の間、完全に透過的であり、（上述のように、もしそれらが復号化回路によってチェックされる場合には、ＣＲＣエラーコードを除いて、）受信された全てのデータを送信する。そのような場合に、無線周波数通信の終了命令は、ステップ４２０の間に、保護された集積回路４３によって復号化される。それから、集積回路４３は、ステップ１７００に戻るように制御ユニットを導くセッションの終了信号ＥＯＳを、制御ユニット１７７に送信する。
【０１１２】
保持されたオプションであるものは何でも、制御ユニット１７７は、無線周波数伝送路の開設まで、フレームに存在する以下の命令をオンザフライ（on the fly）で復号化すると共に、分析する。エミュレーション回路がＩＳＯ／ＩＥＣ１４４４３及びＩＳＯ／ＩＥＣ１５６９３に適合する現在の実施例において、これらの命令は、以下のようである。
【０１１３】
【表１】
2009512382.tif 000003
【０１１４】
標準のＩＳＯ／ＩＥＣ１４４４３／Ｂに基づいた無線周波数伝送路の初期化シーケンスが、ここでは一例として説明されようとしている。標準によって宣言された参照符号（命令における命令及びフィールド）は、それを本願の引用符号と区別するために、引用符に囲まれて記載されている。
【０１１５】
「無線周波数伝送路の初期化と衝突防止」
ステップＡ：制御ユニット１７７は、コード“ＡＰｆ”（衝突防止プレフィックス）、コード“ＡＦＩ”（アプリケーションファミリー識別子）、コード“ＰＡＲＡＭ”（応答スロットの数）を含む５バイトの命令“ＲＥＱＢ”を受信する。以下の命令と同様に、この命令に関して、エラー検出フィールドの２バイト“ＣＲＣ−Ｂ”は、復号器１７４によって処理される。従って、応答に挿入されたバイト“ＣＲＣ−Ｂ”と同様に、これらのバイトは、もはや以下では言及されない。
【０１１６】
ステップＢ：ここで、制御ユニットは、コード“ＰＡＲＡＭ”によって指定された応答スケール上で“０”に等しい応答（即座の応答）の位置をランダムに計算するか、または、それは、確率的（probabilistic）であるが疑似確定的（pseudo-determinist）ではないモード（両方のオプションはＩＳＯ／ＩＥＣ１４４４３によって提供される）において設定されると共に、それは、ランダムの選択処理の終わりにこの命令に応答することを決定すると仮定される。従って、ステップＢの間、制御ユニットは、（１６進法における）“５０”バイト、“ＰＵＰＩ”を形成する４バイト（識別レジスタ１７１に読み込まれると共に、恐らくはランダムに生成される）、アプリケーションデータの４バイト（ここでは使用されず、内部の伝送路はまだ開設されていない）、及びプロトコルデータの３バイトを有する応答“ＡＴＱＢ”を送信する。
【０１１７】
ステップＣ：制御ユニットは、“１Ｄ”に等しいバイト、“ＰＵＰＩ”の４バイト、４つのパラメータ化のバイト、及び上位階層のＮバイトを有する命令“ＡＴＴＲＩＢ”を受信する。もしＮが“０”と異なるならば、“上位階層のバイト”はモジュール４０に関係すると共に、それは内部の伝送路を開設した後でバスＤＢ３を介してモジュール４０に送信される。パラメータ化のバイトは、命令に対する応答の遅延、フレームの先頭と終わりの抑圧の有無、“ＳＯＦ”と“ＥＯＦ”、（復号化回路１７４と符号化回路１７５に伝達された情報）、最大のフレームサイズを定義すると共に、更に、命令“ＡＴＴＲＩＢ”が受信されるときにその開設が効果的である無線周波数通信セッションのために制御ユニットに割当てられるカード識別子ＣＩＤを含む。
【０１１８】
もし読み取り装置１００が、他の主体がその交信領域に存在するかどうかを判定するために、ステップＢ及びステップＣの間に、もしくはステップＣの後で、命令“ＳｌｏｔＭａｒｋｅｒ”を送信するならば、制御ユニットは、メッセージ“ＡＴＱＢ”を送信した後で、これらの命令に応答しない。
【０１１９】
ステップＤ：制御ユニットは、ＣＩＤ（card identification）を含む１バイト、及び（もしそれらが内部伝送路を介してモジュール４０によって供給されると共に、バッファ１７０．２に存在するならば、）上位階層のＮバイトを送信することによって、命令“ＡＴＴＲＩＢ”に応答する。
【０１２０】
命令“ＡＴＴＲＩＢ”に応答した後に、制御ユニットのみが、固有のＣＩＤを含むと共に、ＩＳＯ／ＩＥＣ１４４４３−４において定義されたアプリケーション命令に応答し、そしてアプリケーションデータブロックをモジュール４０に送信することによって、及び取り外し可能なモジュール４０から受信されたアプリケーションデータを無線周波数伝送路に送信することによって、無線周波数伝送路の管理を保証する。しかしながら、命令“ＡＴＴＲＩＢ”の前に受信された命令“ＨＬＴＢ”（“５０”に等しい１バイト、４バイトのＰＵＰＩ）は、制御ユニットを元の初期状態に設定する。
【０１２１】
「無線周波数伝送路の管理」
ここで、図６のチャートによれば、無線周波数伝送路の管理は、制御ユニット１７７によって保証されると仮定される。ここで、無線周波数伝送路の管理は、アプリケーションデータを運搬することを目的としているブロック“Ｉ”の（命令“ＡＴＴＲＩＢ”によって割り当てられた“ＣＩＤ”を含む）プロローグフィールドの制御ユニットによる処理を含む。ブロックのエピローグフィールド、または２バイトの“ＣＲＣ−Ｂ”を含むフィールド“ＥＤＣ”は、上述のように、復号化回路（着信ブロック）、または符号化回路（発信ブロック）によって生成される。アプリケーションデータがブロック“Ｉ”に転送されることを可能にするか、または制御情報がブロック“Ｓ”に転送されることを可能にする情報フィールド“ＩＮＦ”は、それがブロック“Ｉ”に存在しさえすれば、モジュール４０に送信される。任意に、ブロック“Ｓ”は、受け取りの肯定応答または否定応答を運搬することを可能にすると共にフィールド“ＩＮＦ”を全く含まないブロック“Ｒ”と同様に、制御データを読み取り装置１００と交換するためにエミュレーション回路１７３によって使用され得る。
【０１２２】
制御ユニットは、フィールド“ＩＮＦ”を全く含まない命令“ＤＥＳＥＬＥＣＴ”の受信と同時に無線周波数伝送路を閉鎖する。命令“ＤＥＳＥＬＥＣＴ”は、プロトコルブロック“Ｓ”のように符号化される。それは、読み取り装置１００によって送信された要求ブロック“Ｓ（ＤＥＳＥＬＥＣＴ）”から構成されると共に、制御ユニットによる受信応答として送信される応答“Ｓ（ＤＥＳＥＬＥＣＴ）”から構成される。
【０１２３】
図７のチャートによって示された変形例において、ブロック“Ｉ”のプロローグフィールドの処理は、読み取り装置１００によって割り当てられると共に、制御ユニット１７７から以前に受信された“ＣＩＤ”を有するモジュール４０によって保証される。
【０１２４】
ちょうど説明された例を考慮すると、バッファＦＩＦＯが、着信アプリケーションデータのストリームと発信アプリケーションデータのストリームとの同期化のためだけに供給されることが分かる。当業者は、従って、もしフレームの同期化が使用される各通信プロトコルに関して修得されるならば、ＦＩＦＯバッファ、特にバッファ１７０．１を抑制することがあり得るということに注意することになる。同様に、ＦＩＦＯバッファは、バッファメモリの適応管理を提供する一方、あらゆる他のタイプのバッファメモリと交換され得る。
【０１２５】
図８は、図４において示されるシステム５０の別の実施例６０を概略的に示す。ＳＩＭカード２０が削除されると共に、モジュール４０が、上述のように、無線周波数伝送路を用いて実行されるアプリケーションを保護するためのモジュールとして、そして電話通信アプリケーションを保証するためのＳＩＭカードとして、の両方として使用されるという事実によって、システム６０は、システム５０と異なる。
【０１２６】
これを受けて、ベースバンド回路１１のバスＤＢ１、及びエミュレーション回路１７のバスＤＢ３は、同じタイプのバスであると共に、例えばＩＳＯ／ＩＥＣ７８１６に規定されるバスである。バスＤＢ１の末端は、（いくらかの線による入力を有する）バスマルチプレクサＭＵＸＢの第１の入力端子に接続されており、そしてバスＤＢ３の末端は、マルチプレクサＭＵＸＢの第２の入力端子に接続されている。マルチプレクサＭＵＸＢの出力端子は、バスＤＢ４によってモジュール４０に（すなわち、図５を参照すると、保護された集積回路４３のバス管理ユニット４３４に）連結される。マルチプレクサＭＵＸＢは、例えばベースバンド回路１１によって供給される信号ＳＥＬによって制御される。例えば、信号ＳＥＬが１に等しいとき、マルチプレクサは、バスＤＢ３をモジュール４０に連結し、信号ＳＥＬが０に等しいとき、マルチプレクサは、バスＤＢ１をモジュール４０に連結する。優先順位は、ここでは、ベースバンド回路１１に対して与えられ、それは、電話通信アプリケーションが実行されなければならないとき、ＳＩＭカードの優先順位と同じ優先順位でモジュール４０にアクセスし、そうでなければ、モジュール４０がエミュレーション回路１７によって送信されたアプリケーションデータの形式で受け取ったアプリケーションセッションを開設する要求に応答することを可能にするために、バスＤＢ４を解放する。しかしながら、モジュール４０に対するアクセスの優先順位の更に複雑な管理は、ベースバンド回路１１とエミュレーション回路１７との間の制御信号の交換を提供することによって提供され得る。
【０１２７】
図８において点線によって示されるように、本発明によるＮＣＦ読み取り装置のこの実施例は、集積回路ＩＣＲＤ２の形式で以前と同様に具体化され得る。集積回路ＩＣＲＤ２は、従って、集積回路をアンテナ回路１３に接続するためのポートＰ１と、バスＤＢ４をマルチプレクサＭＵＸＢに接続するためのポートＰ２と（バスＤＢ３は、ここでは、チップに統合されるマルチプレクサＭＵＸＢの入力端子に内部で連結される）、バスＤＢ２を集積回路に接続するためのポートＰ３と、バスＤＢ１をマルチプレクサＭＵＸＢの入力端子に接続するための第４のポートＰ４とを備える。
【０１２８】
当業者には、明らかに、本発明には様々な実施例及びアプリケーションを受け入れる余地があるということが理解できるであろう。特に、エミュレーション回路１７は、マザーボード上に配置されたアプリケーション管理回路と接続されるべき他のバスインタフェース（バス管理ユニット）を備えることができる。これらのアプリケーション管理回路は、モジュール４０の介入を必要としない、保護されていないアプリケーションに特に提供され得る。更に、携帯電話のためのシステムにおける本発明によるＮＦＣ読み取り装置の実施例が説明されたが、本発明は、この例に限定されない。従って、本発明によるＮＦＣ読み取り装置は、電話通信回路なしでも同様に作られ得る。読み取り装置は、例えば、取り外し可能なセキュリティーモジュール４０、ディスプレイ及びキーボードを受け入れるケースを備えた小さな面積の携帯機器の形式で提供される。この装置は、能動的モードにおいて、非接触式電子タグ、非接触式電子バッジ、及び非接触式名詞を読み取るために使用される。エミュレーションモードにおいて、そして、もし装置の内蔵電池の電圧が下ったとしても、その装置は、電子財布のような、そしてアクセス制御手段（例えば、ドアの開閉または非接触式イグニションキー）等のようなサービスにアクセスするための非接触式チップカードとして使用できる状態を維持する。
【０１２９】
更に、回路１６及びモジュール４０（図３、８）は、同様に、これらの構成要素に単独で電力を供給するための電圧Ｖｃｃｅに対して、通信距離が長過ぎるとき、図１を参照して上述されたように、内部の電圧Ｖｃｃｉに等しくなる合成された電圧によって電力を供給され得る。しかしながら、これらの状況においてさえも、本発明は、エネルギーを節約するという利点を有する。更に、電圧Ｖｃｃｅは、その場合に局所的な電源として使用されることになる補助のアキュムレータを充電するために使用され得る。
【図面の簡単な説明】
【０１３０】
【図１】標準の保護されたＮＦＣ読み取り装置を含む携帯電話のための電子システムの構成を示す図である。
【図２】コンポジット信号を図１の取り外し可能なセキュリティモジュールに供給する標準のリンク回路の実施例を示す図である。
【図３】本発明によるエミュレーション回路を有する保護されたＮＦＣ読み取り装置を含む携帯電話のための電子システムの構成を示す図である。
【図４】図３におけるブロック形式において示された受動的インタフェース回路の実施例を示す図である。
【図５】本発明によるエミュレーション回路の実施例をブロック形式で示す図である。
【図６】エミュレーション回路の動作を示す図である。
【図７】エミュレーション回路の動作の変形例を示す図である。
【図８】図５のシステムの別の実施例を示す図である。
【符号の説明】
【０１３１】
５    標準の電子システム
１０    マザーボード
１１    ベースバンド回路
１１’    ＵＨＦアンテナ
１２    リーダ回路
１３    アンテナ回路
１３’    アンテナコイル
１５    携帯電話のバッテリ
１６    受動的インタフェース回路
１７    エミュレーション回路
２０    ＳＩＭカード
３０    取り外し可能なセキュリティーモジュール
３１    支持部材
３２    導体パッド
３３    保護された集積回路
４０    取り外し可能なセキュリティーモジュール
４１    支持部材
４２    導体パッド
４３    保護された集積回路
５０    電子システム
６０    システム
１００    読み取り装置
１１０    読み取り装置のアンテナコイル
１７０    データバッファ
１７０．１    ＦＩＦＯバッファ
１７０．２    ＦＩＦＯバッファ
１７１    識別レジスタ
１７２    クロック発生器
１７３    バス管理ユニット
１７４    復号化回路
１７５    符号化回路
１７６    マルチプレクサ
１７７    制御ユニット
４３１    マイクロプロセッサ
４３２    メモリアレイ
４３３    安全管理のための周辺回路
４３４    バス管理回路
１０３０    接触コネクタ
１０３１    接触ブレード
１０４０    接触コネクタ
１０４１    接触ブレード
１１２０    接触コネクタ
ＤＢ１、ＤＢ２、ＤＢ３、ＤＢ４    データバス
Ａ、Ｂ    入力端子
ＳＡ    交流アンテナ信号
ＳＤＴｒ    データ信号
ＣＫ０    一次クロック信号
ＴＲｉＧ１、ＴＲｉＧ２、ＴＲｉＧ３    増幅回路
ＳＷｌｍ    負荷変調スイッチ
Ｓｌｍ    負荷変調信号
Ｄ１、Ｄ２    ダイオード回路
ＲＦＣＴ    回路
ＭＰ    マイクロプロセッサ
ＭＡ    メモリアレイ
ＩＤＲＥＧ    識別レジスタ
ＩＤ    衝突防止識別子
Ｓ（ＳＤＴｒ、ＣＫ０）    コンポジット信号
Ｓ２Ｃ    インタフェース
ＳＷＰ    スイッチ
ＥＭＳ    信号
ＤＥＭＣＴ    復調回路
ＣＫＣＴ    クロック抽出回路
ＰＳＥ    電源抽出回路
Ｐｄ    ダイオード整流器
Ｃｓ    平滑コンデンサ
ＲＥＧＣＴ    調整回路
ＦＬＤ    交流磁界
ＩＣＲＤ１    集積回路
ＩＣＲＤ２    集積回路
ＤＴｒ    着信データ信号
Ｐ１    第１のポート
Ｐ２    第２のポート
Ｐ３    第３のポート
Ｐ４    第４のポート
ＣＫ１、ＣＫ２、ＣＫ３    （クロック）信号
ＤＥＣ１、ＤＥＣ２、ＤＥＣ３    復号器
ＣＯＤ１、ＣＯＤ２、ＣＯＤ３    符号器
ＭＵＸＢ    バスマルチプレクサ
ＳＥＬ    信号
【図１】
2009512382.tif 000004
【図２】
2009512382.tif 000005
【図３】
2009512382.tif 000006
【図４】
2009512382.tif 000007
【図５】
2009512382.tif 000008
【図６】
2009512382.tif 000009
【図７】
2009512382.tif 000010
【図８】
2009512382.tif 000011
【国際調査報告】
2009512382.tif 000012
2009512382.tif 000013
2009512382.tif 000014
2009512382.tif 000015